(57)【要約】【課題】ネットワークを経由して各サーバ上の設定ファイルを書き換えるだけで無停電電源装置の設定が変更できる無停電電源装置の制御装置を提供する。【解決手段】電源供給対象装置であるサーバ１には、無停電電源装置２から電源ケーブル３を介して電源が供給されるとともに、直接無停電電源装置２と通信ケーブル５で接続されている。無停電電源装置２は、例えば蓄電池などの充電可能な補助電源装置と、主電源である商用電源の電圧値を監視する電圧異常検出手段を備え、給電ケーブル４によって外部の商用電源に接続されている。サーバ１内には、無停電電源装置２への通信制御を行うＵＰＳ管理プログラムと、ＵＰＳ管理プログラムとは独立して設定データを保持するＵＰＳ設定ファイルを備え、ＵＰＳ管理プログラムを使用することによって無停電電源装置２の動作パラメータを設定変更する。【選択図】図１
2009148083.tif 000002
【特許請求の範囲】
【請求項１】
電源から電源供給対象装置への給電をバックアップする無停電電源装置の制御装置において、
前記電源供給対象装置と前記無停電電源装置の間で信号を授受する通信手段、および前記電源供給対象装置内に、前記無停電電源装置への通信制御を行うＵＰＳ管理プログラムと、前記ＵＰＳ管理プログラムとは独立して設定データを保持するＵＰＳ設定ファイルを備え、
前記電源供給対象装置から前記無停電電源装置の動作パラメータを書き換えるようにしたことを特徴とする無停電電源装置の制御装置。
【請求項２】
前記ＵＰＳ管理プログラムは、接続されている無停電電源装置の監視および制御を行うとともに、前記電源供給対象装置自体のシャットダウン機能を備えたことを特徴とする請求項１記載の無停電電源装置の制御装置。
【請求項３】
前記通信手段は、前記電源供給対象装置と前記無停電電源装置の間を接続するネットワークであることを特徴とする請求項１記載の無停電電源装置の制御装置。
【請求項４】
前記電源供給対象装置はサーバであって、該サーバ内に前記無停電電源装置の動作パラメータを変更するための通信ジョブを備え、前記ＵＰＳ管理プログラムのジョブ実行指令によって前記無停電電源装置を変更設定するようにしたことを特徴とする請求項１記載の無停電電源装置の制御装置。
【発明の詳細な説明】
【技術分野】
【０００１】
本発明は、電源から電源供給対象装置への給電をバックアップする無停電電源装置の制御装置に関し、とくに無停電電源装置の動作パラメータを設定変更する機能を備えた制御装置に関する。
【背景技術】
【０００２】
インターネットなどで利用されているサーバや、公共施設で利用されているサーバが停電で停止した場合は大きなトラブルの原因になる。そこで、コンピュータ・システムには、商用電源の停電や瞬断によるシステム・ダウンや、重要な装置の停止を防ぐために、無停電電源装置（ＵＰＳ：Uninterruptible Power Supply）が装備されているものがある。
【０００３】
図３は、従来のサーバとそのバックアップ用に接続された無停電電源装置を示す図である。
サーバ１は、商用電源に接続されて電源が供給されるとともに、無停電電源装置２と電源ケーブル３を介して接続されている。無停電電源装置２は給電ケーブル４によって外部の商用電源に接続され、例えば蓄電池などの充電可能な補助電源装置と主電源である商用電源の電圧値を監視する電圧異常検出手段を備えている。
【０００４】
無停電電源装置２は、この電圧異常検出手段の働きによって主電源からの電源電圧の異常変動を検出して、その旨を表すトリガ信号をサーバ１側に出力するとともに、主電源に代えて補助電源装置からサーバ１に、少なくとも電源異常時の処理（例えば停電処理）の実行に必要な期間に亘って補助電源電圧を供給するものである。したがって、無停電電源装置２は停電や瞬断と同時にバッテリ運転を開始し、サーバ１に電源を供給する。また、無停電電源装置２で判断した電源異常の状態に応じて、そこに接続されたサーバ１のＯＳ（Operating System）にシャットダウン処理を指令するように構成されている。
【０００５】
こうした無停電電源装置２では、その設置環境に応じて入力する商用電力の電圧および周波数などのデータが異なるため、個別に無停電電源装置２の停電検出電圧レベルや停電検出時間などの動作条件の設定を行う動作パラメータ（例えば、電圧値、電流値など）を変更する必要があった。そのような場合、図３に示すように、設定ツールとしての制御装置１０を用いて無停電電源装置２の設定変更が行われる。
【０００６】
ところで、従来の無停電電源装置２の制御装置１０はアナログ回路によって構成されており、その設定値を変更する場合には、アナログ回路の回路定数などの変更が必要であった。また、無停電電源装置２をＣＰＵによって制御する場合、その設定値を変更するためには、プログラムにあらかじめ定められた情報によって変更していた。
【０００７】
そこで、無停電電源装置２の動作状態、および供給電力状態などを電子計算機が監視でき、かつ停電判定のための動作パラメータを設定できるように構成して、システム性能および信頼性を改善し、システムの機能性を向上できる無停電電源装置の制御方式が提案されている（例えば、特許文献１参照）。
【特許文献１】特開平６−１２４１４５号公報（段落番号［００１２］〜［００３０］、図１）
【発明の開示】
【発明が解決しようとする課題】
【０００８】
従来の設定ツールによる設定変更では、無停電電源装置の運転に必要とする各種の設定データの設定、および無停電電源装置の動作を制御するファームウエアプログラムや、設定データの更新やその管理作業は、管理者が手作業で管理用端末から無停電電源装置を１台ずつ選択して行っていた。そのため、設定ツールを無停電電源装置の設置場所まで持ち込んで、無停電電源装置との接続作業を実施しなければならない。しかし、無停電電源装置はサーバから離れた位置に配置されている場合が多く、また設定ツールと信号ケーブルで接続する作業は無停電電源装置の設置台数が多くなると多大な作業時間を要するという問題があった。
【０００９】
また、特許文献１に記載された制御方式では、電源供給対象装置である電子計算機からパラメータを設定する場合でも、無停電電源装置側で停電検知のための電源監視処理を含む内部の制御を司る制御部に設定データを保持するようにしているため、広範囲にネットワークされた複数のサーバを備えたコンピュータシステムでは、それぞれに無停電電源装置が接続されている場合などには、その書換え作業は容易ではなかった。
【００１０】
本発明はこのような点に鑑みてなされたものであり、ネットワークを経由して各サーバ上の設定ファイルを書き換えるだけで無停電電源装置の設定が変更できる無停電電源装置の制御装置を提供することを目的とする。
【課題を解決するための手段】
【００１１】
本発明では、上記問題を解決するために、電源から電源供給対象装置への給電をバックアップする無停電電源装置の制御装置において、前記電源供給対象装置と前記無停電電源装置の間で信号を授受する通信手段、および前記電源供給対象装置内に、前記無停電電源装置への通信制御を行うＵＰＳ管理プログラムと、前記ＵＰＳ管理プログラムとは独立して設定データを保持するＵＰＳ設定ファイルを備え、前記電源供給対象装置から前記無停電電源装置の動作パラメータを書き換えるようにしたことを特徴とする無停電電源装置の制御装置が提供される。
【００１２】
本発明の無停電電源装置の制御装置は、電源供給対象装置内で既に無停電電源装置の設置環境に対応したＵＰＳ管理プログラムを使用することによって、無停電電源装置の動作パラメータを設定変更できる。
【発明の効果】
【００１３】
本発明によれば、電源供給対象装置をバックアップしている無停電電源装置の設置環境が変化したときも、現地に設定ツールなどを持ち込むことなく、その動作パラメータを設定変更できる。
【発明を実施するための最良の形態】
【００１４】
以下、図面を参照してこの発明の実施の形態について説明する。図１は、実施の形態に係るサーバと無停電電源装置の接続状態を示すシステム構成図である。図２は、実施の形態に係る無停電電源装置への動作パラメータ設定手順を示す図である。
【００１５】
図１に示すように、電源供給対象装置であるサーバ１には、無停電電源装置２から電源ケーブル３を介して電源が供給されるとともに、無停電電源装置２と双方向のデータ送受信が可能な通信ケーブル５で直接接続されている。
【００１６】
無停電電源装置２は、例えば蓄電池などの充電可能な補助電源装置と電圧異常検出手段を備え、給電ケーブル４によって主電源である外部の商用電源と接続され、この電圧異常検出手段によって商用電源の電圧値を監視している。一方、サーバ１には無停電電源装置２の監視・制御とサーバ１のＯＳシャットダウン機能を持ったＵＰＳ管理プログラム１１（図２参照）がインストールされている。
【００１７】
つぎに、無停電電源装置への動作パラメータの設定通信手順について説明する。
サーバ１は、メモリのプログラム領域に無停電電源装置２への通信制御を行うＵＰＳ管理プログラム１１と設定パラメータ通信ジョブ１２が格納され、さらにＵＰＳ管理プログラム１１とは独立して各種の設定データを保持するデータメモリ内にＵＰＳ設定ファイル１３を備えている。
【００１８】
ＵＰＳ管理プログラム１１には、接続されている無停電電源装置２の監視プログラム、ＯＳシャットダウン制御や通信制御を行うプログラムが含まれ、さらにサーバ１が起動したときに無停電電源装置２の設定パラメータの変更ができるように、起動時のイベント処理として設定パラメータ通信ジョブ１２への実行コマンドが追加されている。設定パラメータ通信ジョブ１２は、ＵＰＳ設定ファイル１３に記載された複数行のパラメータ変更の設定電文（例えば、コマンドＡ，Ｂ…ｎ）が順次読み込まれると、ＵＰＳ管理プログラム１１を介して無停電電源装置２へその設定電文（コマンドＡ，Ｂ…ｎ）を送信し、その応答電文の受信をする。
【００１９】
したがって、制御装置であるサーバ１と被制御装置である無停電電源装置２が通信網を介して接続されるシステムであれば、使用される無停電電源装置２の設置環境をインストールしたＵＰＳ管理プログラム１１に、無停電電源装置２への設定パラメータ通信ジョブ１２を追加し、その無停電電源装置２に対応する設定パラメータ通信ジョブ１２が、ＵＰＳ設定ファイル１３に記載された複数行のパラメータ変更の設定電文を順次読み込むことにより、無停電電源装置２へその設定電文を送信することができる。
【００２０】
なお、設定パラメータ通信ジョブ１２およびＵＰＳ管理プログラム１１は、ＵＰＳ設定ファイル１３に記載された複数のコマンドＡ，Ｂ…ｎからなる設定電文を、何ら加工することなく無停電電源装置２に転送する機能を持っているので、どのような設定電文でも無停電電源装置２に送信できる。
【００２１】
以上のように、本発明においては既に無停電電源装置２の設置環境に対応したＵＰＳ管理プログラム１１を使用することによって、無停電電源装置２の設置環境が変化したときも、現地に設定ツールなどを持ち込まなくても、容易にその動作パラメータの設定変更ができる。また、無停電電源装置２に新しい設定電文が追加された場合でも、ＵＰＳ管理プログラム１１を変更することなく、新しい動作パラメータを送信することによって、無停電電源装置２の設置環境に対応させることができる。
【００２２】
サーバ１にパラメータ変更の設定電文をＵＰＳ設定ファイル１３として書き込むことにより、無停電電源装置２の動作パラメータを設定変更できるから、複数のサーバを備えたコンピュータシステムで、それぞれに無停電電源装置が接続されている場合であっても、ネットワークを利用して遠隔から容易に設定変更ができる。
【００２３】
さらに、ＵＰＳ管理プログラム１１の起動時に動作パラメータを自動で設定することにより、もし新たな無停電電源装置２に交換されたときであっても、その設置環境に合致した動作パラメータが交換後の無停電電源装置２に自動で設定できる。
【００２４】
この発明は、上述した実施の形態の構成に限定されるものではない。無停電電源装置２の動作パラメータの設定変更は、例えばサーバ１が起動したときだけに限られることはなく、停電発生時など、どのようなイベント発生時でも設定された動作パラメータを変更できる。
【００２５】
また、電源供給対象装置であるサーバ１が通信ケーブル５で無停電電源装置２と接続されている場合だけでなく、ネットワーク経由でＵＰＳ設定ファイル１３を配布、または変更することにより、遠隔から設定電文の変更・追加あるいは削除を行うこともできる。
【図面の簡単な説明】
【００２６】
【図１】実施の形態に係るサーバと無停電電源装置の接続状態を示すシステム構成図である。
【図２】実施の形態に係る無停電電源装置への動作パラメータ設定手順を示す図である。
【図３】従来のサーバとそのバックアップ用に接続された無停電電源装置を示す図である。
【符号の説明】
【００２７】
１  サーバ
２  無停電電源装置
３  電源ケーブル
４  給電ケーブル
５  通信ケーブル
１１  ＵＰＳ管理プログラム
１２  設定パラメータ通信ジョブ
１３  ＵＰＳ設定ファイル
【図１】
2009148083.tif 000003
【図２】
2009148083.tif 000004
【図３】
2009148083.tif 000005